(57)【要約】【課題】カードスロット数が増加しても、アラーム監視部内の構成をシンプルに維持できる実装カードアラーム監視装置を実現する。【解決手段】バックプレーンに実装される複数のカードよりアラーム情報を取得して出力する実装カードアラーム監視装置において、バックプレーンに設けられたカード実装用のソケットの両側近傍に配置され、カードの非実装時には互いの先端部が弾性を持って接触通電すると共に、カードの実装時には互いの先端部がカードに設けられた一対のカード側接点手段に弾性を持って接触通電する、一対のバックプレーン側接点手段と、一対のカード側接点手段間に接続され、カードが正常時にはカード側接点手段間を短絡すると共に、アラーム発生時にはカード側接点手段間を開とするアラーム接点手段とを備える。【選択図】図１
2011009350.tif 000002
【特許請求の範囲】
【請求項１】
バックプレーンに実装される複数のカードよりアラーム情報を取得して出力する実装カードアラーム監視装置において、
前記バックプレーンに設けられたカード実装用のソケットの両側近傍に配置され、前記カードの非実装時には互いの先端部が弾性を持って接触通電すると共に、前記カードの実装時には互いの先端部が前記カードに設けられた一対のカード側接点手段に弾性を持って接触通電する、一対のバックプレーン側接点手段と、
前記一対のカード側接点手段間に接続され、前記カードが正常時には前記カード側接点手段間を短絡すると共に、アラーム発生時には前記カード側接点手段間を開とするアラーム接点手段と、
を備えることを特徴とする実装カードアラーム監視装置。
【請求項２】
実装されている前記カードが正常時には、前記バックプレーン側接点手段と前記カード側接点手段と、前記アラーム接点手段とが直列接続されることを特徴とする請求項１に記載の実装カードアラーム監視装置。
【請求項３】
実装されている前記カードの前記アラーム接点手段が開となることにより、アラームを検出するアラーム監視部を備えることを特徴とする請求項２に記載の実装カードアラーム監視装置。
【請求項４】
前記バックプレーン側接点手段は、複数対が前記バックプレーンに形成され、これら複数対が直列接続されていることを特徴とする請求項１乃至３のいずれかに記載の実装カードアラーム監視装置。
【請求項５】
前記バックプレーン側接点手段と前記カード側接点手段との接触位置を、隣り合うバックプレーン側接点手段間でずらせたことを特徴とする請求項４に記載の実装カードアラーム監視装置。
【請求項６】
前記アラーム接点手段は、リレー接点または半導体スイッチで構成されることを特徴とする請求項１乃至５のいずれかに記載の実装カードアラーム監視装置。
【発明の詳細な説明】
【技術分野】
【０００１】
本発明は、バックプレーンに実装されるカードよりアラーム情報を取得して出力する実装カードアラーム監視装置に関するものである。本発明は、半導体試験装置のテストインタフェース部分等で複数のカードが実装される機能有し、状況によりカードの実装状況が変化するシステムでカード毎に内部状態を監視する必要があるシステムに有効に適用される。
【背景技術】
【０００２】
図６は、従来の実装カードアラーム監視装置の構成例を示す機能ブロック図である。アラーム監視部１０にはカード２０を代表として示す複数の実装カードが、バックプレーン３０に形成されたカードスロットのソケット（図示せず）に装着されている。
【０００３】
バックプレーン３０に設けられたソケットの端子Ｐ１は、カード２０のアラーム検出部２０ａからの２値信号（論理１：アラーム、論理０：正常）を入力する。端子Ｐ１はアラーム監視部１０内で抵抗を介して正電位Ｖにクランプされると共に、ＡＮＤ論理回路１１に入力される。
【０００４】
一対の端子Ｐ２，Ｐ３は、カード２０の実装状態でカード内に形成された配線２０ｂで短絡される。端子Ｐ２はアラーム監視部１０内でゼロ電位Ｅに接続される。端子Ｐ３は抵抗を介して正電位Ｖにクランプされると共に、ＡＮＤ論理回路１１の反転端子に入力される。カード２０の実装状態では、ＡＮＤ論理回路１１の反転端子の電位はゼロ電位であり、ＡＮＤ論理回路１１はアクティブ状態となる。
【０００５】
ＡＮＤ論理回路１１の出力は、アラーム監視手段１２に入力され、その出力がＯＲ論理回路１３に入力される。実装された他のカードとアラーム監視部１０内の構成も同一である。このような構成により実装されたカードのいずれかにアラームが発生したときには、端子Ｐ１の電位が０電位から正電位Ｖに上昇し、ＡＮＤ論理回路１１からアラーム監視手段１２にアラーム情報が渡される。
【０００６】
カード２０が未実装の場合を、仮想的な点線のブロック２０´で示す。端子Ｐ１は、強制的に正電位Ｖに上昇するので、ＡＮＤ論理回路１１´には見かけ上のアラームが入力される。しかしながら、端子Ｐ３の電位もカード側の短絡回路がないので、強制的に正電位Ｖに上昇するので、ＡＮＤ論理回路１１´の反転入力端子の電位もＶに上昇し、ＡＮＤ論理回路１１´は非アクティブ状態となり、アラーム監視手段１２にはアラーム情報は渡されない。
【０００７】
ＯＲ論理回路１３の出力Ｍは、実装されるカード全体に対する電源部４０を操作し、実装カードのいずれかにアラームが発生した場合には、全実装カードへの電源供給を遮断して、半導体試験装置等の信頼性を確保する。
【先行技術文献】
【特許文献】
【０００８】
【特許文献１】特開平８−１８５２４８号公報
【発明の概要】
【発明が解決しようとする課題】
【０００９】
従来の実装カードアラーム監視装置の構成では、次のような問題がある。
（１）アラーム監視部１０はカードスロット毎にクランプ配線、ＡＮＤ論理回路１１、アラーム監視手段１２を必要とする。従って、実装するカード数の増加に比例してアラーム監視部１０のハードウェアが増加し、コストアップの要因となる。
【００１０】
（２）カードスロットル毎に３個の端子Ｐ１，Ｐ２，Ｐ３を必要とする。従って、実装するカード数の増加に比例してソケットの極数増加がコストアップの要因となる。
を削減することできる。
【００１１】
本発明の目的は、カードスロット数が増加しても、アラーム監視部内の構成をシンプルに維持できる実装カードアラーム監視装置を実現することにある。
【課題を解決するための手段】
【００１２】
このような課題を達成するために、本発明は次の通りの構成になっている。
（１）バックプレーンに実装される複数のカードよりアラーム情報を取得して出力する実装カードアラーム監視装置において、
前記バックプレーンに設けられたカード実装用のソケットの両側近傍に配置され、前記カードの非実装時には互いの先端部が弾性を持って接触通電すると共に、前記カードの実装時には互いの先端部が前記カードに設けられた一対のカード側接点手段に弾性を持って接触通電する、一対のバックプレーン側接点手段と、
前記一対のカード側接点手段間に接続され、前記カードが正常時には前記カード側接点手段間を短絡すると共に、アラーム発生時には前記カード側接点手段間を開とするアラーム接点手段と、
を備えることを特徴とする実装カードアラーム監視装置。
【００１３】
（２）実装されている前記カードが正常時には、前記バックプレーン側接点手段と前記カード側接点手段と、前記アラーム接点手段とが直列接続されることを特徴とする（１）に記載の実装カードアラーム監視装置。
【００１４】
（３）実装されている前記カードの前記アラーム接点手段が開となることにより、アラームを検出するアラーム監視部を備えることを特徴とする（２）に記載の実装カードアラーム監視装置。
【００１５】
（４）前記バックプレーン側接点手段は、複数対が前記バックプレーンに形成され、これら複数対が直列接続されていることを特徴とする（１）乃至（３）のいずれかに記載の実装カードアラーム監視装置。
【００１６】
（５）前記バックプレーン側接点手段と前記カード側接点手段との接触位置を、隣り合うバックプレーン側接点手段間でずらせたことを特徴とする（４）に記載の実装カードアラーム監視装置。
【００１７】
（６）前記アラーム接点手段は、リレー接点または半導体スイッチで構成されることを特徴とする（１）乃至（５）のいずれかに記載の実装カードアラーム監視装置。
【発明の効果】
【００１８】
本発明によれば、次のような効果を期待することができる。
（１）各実装カードからのアラームの通知を、全実装カード毎に設けた接点手段を直列にループ化し、ループの開閉により検出することで、カードスロットの数を増加しても、アラーム監視部の構成要素を増加させず、シンプルな構成を維持できる。
【００１９】
（２）アラーム信号を導く接点手段は、カードスロットと別構造であるため、カードスロット数が増加してもソケットの極数を削減することできる。
【００２０】
（３）状況により、実装されるカードの有り無しが変化する場合に、カードが実装されていないときにループ信号をバイパスする構造を持つことによって、実装／未実装の別なくループを構成でき、このループを監視することで、いずれかの１つでも接点がオープンになることをトリガとする要因を監視することができる。
【図面の簡単な説明】
【００２１】
【図１】本発明を適用した実装カードアラーム監視装置の一実施例を示す機能ブロック図である。
【図２】カード実装時の状態変化を示す遷移図である。
【図３】バックプレーン側接点手段の動きを説明する側面図である。
【図４】アラーム接点手段の開閉動作を説明する回路図である。
【図５】本発明を適用した実装カードアラーム監視装置の他の実施例を示す平面図ある。
【図６】従来の実装カードアラーム監視装置の構成例を示す機能ブロック図である。
【発明を実施するための形態】
【００２２】
以下本発明を、図面を用いて詳細に説明する。図１は、本発明を適用した実装カードアラーム監視装置の一実施例を示す機能ブロック図である。図６で説明した従来装置と同一要素には同一符号を付して説明を省略する。
【００２３】
バックプレーン３０には、カード２０１，２０２，２０３，２０４を実装するためのソケット５１，５２，５３，５４が設けられている。この内、ソケット５３に実装されるべきカード２０３が未実装の状態を示している。
【００２４】
バックプレーン３０とアラーム監視部１０のインターフェース部には端子Ｐ１及びＰ２が形成され、端子Ｐ１はアラーム監視部１０内でゼロ電位に接続され、端子Ｐ１はアラーム監視部１０内で抵抗を介して正電位Ｖに接続されると共に、アラーム監視手段１１に入力されている。端子Ｐ１とＰ２は、バックプレーン３０内でループＬの両端Ｌ１及びＬ２に夫々接続されている。
【００２５】
カード２０１を代表して本発明の特徴部である接点手段の構成を説明する。カード２０１実装用のソケット５１の両側近傍に、カード２０１の挿入方向に並行して一対のバックプレーン側接点手段１０１，１０２が配置されている。
【００２６】
カード２０１の実装時にはバックプレーン側接点手段１０１，１０２の先端部が、カード２０１に設けられた一対のカード側接点手段２０１ａ，２０１ｂに夫々弾性を持って接触通電する。
【００２７】
カード２０１はアラーム接点手段２０１ｃを内蔵し、このアラーム接点手段２０１ｃは、一対のカード側接点手段２０１ａ，２０１ｂ間に接続され、カードが正常時にはカード側接点手段２０１ａ，２０１ｂ間を短絡すると共に、アラーム発生時にはカード側接点手段２０１ａ，２０１ｂ間を開に規制する。
【００２８】
カード２０１が非実装の場合には、未実装カード２０３の箇所でＣに示すように、バックプレーン側接点手段１０１，１０２の互いの先端部が弾性を持って接触通電し、実装時には介在するカード側接点手段２０１ａ，２０１ｂ及びアラーム接点手段２０１ｃをバイパスする。
【００２９】
カード２０２，２０３，２０４に対するバックプレーン側接点手段、カード側接点手段、アラーム接点手段の構成もカード２０１に対する構成と同一であり、これらの接点手段が全実装カードで直列接続されループＬを形成している。
【００３０】
実装されているカードの全てが正常であれば、全てのアラーム接点手段は閉に規制され、端子Ｐ２の電位はループＬを介して端子Ｐ２のセロ電位となり、アラーム監視手段には正常論理レベル“０”が入力される。
【００３１】
実装されているカードの何れかのアラーム接点手段がアラーム発生で開となれば、ループＬはオープンとなるので、端子Ｐ２の電位正電位Ｖとなり、アラーム監視手段にはアラーム論理レベル“１”が入力される。そして、アラーム監視部１０は、実装されているカードの何れかからアラームが発生していることを検出する。
【００３２】
図２は、カード実装時の状態変化を、カード２０１を代表として示す遷移図である。図２（Ａ）はカード実装前の状態、（Ｂ）はカード実装直前の状態、（Ｃ）はカード実装後の状態を夫々縦断面で示している。
【００３３】
図２（Ａ）において、所定長のバックプレーン側接点手段１０１及び１０２は、弾性を持つ導体で構成され、途中位置からソケット５１側に折り曲げられ、夫々の先端部１０１ａ及び１０２ａはＣ点で矢印Ｐ方向に弾性を持って接触通電している。
【００３４】
図２（Ｂ）では、カード２０１がソケット５１に向かってＦ方向に移動し、カードの下端部によりバックプレーン側接点手段１０１及び１０２の折り曲げ部を矢印Ｑ方向に押し広げる。
【００３５】
図２（Ｃ）では、カード２０１がソケット５１に挿入実装され、バックプレーン側接点手段１０１及び１０２の先端部１０１ａ及び１０２ａは、夫々カード側接点手段２０１ａ及び２０１ｂに弾性を持って接触通電する。
【００３６】
図３は、バックプレーン側接点手段の動きを説明する側面図であり、図２（Ｂ）から図２（Ｃ）の遷移の途中状態における、一方のバックプレーン側接点手段１０１の動きを拡大して示している。
【００３７】
折り曲げられたバックプレーン側接点手段１０１の上部は、カード２０１のＦ方向挿入で、点線１０１´で示すように更に折り曲げられ、先端部１０１ａは他方のバックプレーン側接点手段１０２の先端部１０２ａ（図示せず）との接触通電を断たれた状態となるが、カード２０１の挿入進行に伴い、カード側接点手段２０１ａに接触通電する。
【００３８】
図４は、各カードに内蔵されるアラーム接点手段の開閉動作を、カード２０１を代表として示す回路図である。この接点手段は、単純なリレー接点で実現される。図４（Ａ）はカード正常時を示し、接点は閉状態に規制される。図４（Ｂ）はアラーム発生時を示し、接点は開状態に規制される。この接点は機械的なリレー接点の他、半導体スイッチ手段でも実現可能である。
【００３９】
図５は、本発明を適用した実装カードアラーム監視装置の他の実施例を示す、カード実装側から見た平面図ある。異なる仕様のカード間でバックプレーン側接点手段のバックプレーン３０への取り付ける位置と対応するカード側接点手段の取り付け位置をずらせている。
【００４０】
同一仕様の２枚のカードＢ同士では、どちらにスロットに挿入しても良いので接点の取り付け位置は同じでよい。カードＢに対して異なる仕様のカードＡまたはカードＣでは、誤ってカードＢを実装した場合には、実装アラームとして検出することができる。
【符号の説明】
【００４１】
１０  アラーム監視部
１１  アラーム監視手段
３０  バックプレーン
５１〜５４  ソケット
１０１，１０２  バックプレーン側接点手段
２０１〜２０４  カード
２０１ａ，２０１ｂ  カード側接点手段
２０１ｃ  アラーム接点手段
Ｌ  ループ
【図１】
2011009350.tif 000003
【図２】
2011009350.tif 000004
【図３】
2011009350.tif 000005
【図４】
2011009350.tif 000006
【図５】
2011009350.tif 000007
【図６】
2011009350.tif 000008